【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
受信信号と局部発振器からの局発信号とを混合するミキサの出力に対して、局発信号周波数に対応した補正値のオフセット補正信号を供給するオフセット調整部と、
前記局部発振器における前記局発信号周波数の切り替えのタイミングに対応させて、前記オフセット調整部における前記オフセット補正信号の切り替えのタイミングを調整するタイミング調整部と、
を備えている、ことを特徴とする無線通信装置。
【手続補正２】
【補正対象書類名】明細書
【補正対象項目名】発明の名称
【補正方法】変更
【補正の内容】
【発明の名称】無線通信装置
【手続補正３】
【補正対象書類名】明細書
【補正対象項目名】０００１
【補正方法】変更
【補正の内容】
【０００１】
本発明は、無線通信技術に関し、特に、周波数ホッピング機能を持つ超広帯域（ＵＷＢ：Ｕｌｔｒａ  Ｗｉｄｅ  Ｂａｎｄ）無線通信装置の受信部で発生するＤＣオフセットの補正に適用して好適な装置に関する。
【手続補正４】
【補正対象書類名】明細書
【補正対象項目名】００９９
【補正方法】変更
【補正の内容】
【００９９】
その理由として、ノイズが入った受信信号（希望波＋ノイズ）においてノイズを歪ませずにＡＤ変換を行う必要があるため、ＡＤ変換器のアナログ信号の入力レンジを広げ、同じビット精度を保つためビット数を増やすことが必要とされるが、本実施形態によれば、ノイズが除去により、希望波のみを歪ませずにＡＤ変換すればよい。このため、ＡＤ変換器のアナログ信号の入力レンジを狭め、ビット数の削減が可能とされるからである。
上記した実施形態は以下のように付記される（ただし、以下に限定されない）。
（形態１）
受信信号と局部発振器からの局発信号とを混合するミキサの出力に対して、局発信号周波数に対応した補正値のオフセット補正信号を供給するオフセット調整部と、
前記局部発振器における前記局発信号周波数の切り替えのタイミングに対応させて、前記オフセット調整部における前記オフセット補正信号の切り替えのタイミングを調整するタイミング調整部と、
を備えている、ことを特徴とする無線通信装置。
（形態２）
前記タイミング調整部は、
前記局部発振器に対して周波数の切り替えを指示する周波数切り替え信号と、
前記局部発振器での周波数の切り替えに対応させて、前記オフセット補正信号を切り替えるために、前記オフセット調整部に対して供給するオフセット補正量切り替え信号のタイミングを調整する、ことを特徴とする形態１記載の無線通信装置。
（形態３）
前記ミキサの出力に前記オフセット調整部からの前記オフセット補正信号を加算する加算部を備え、
前記オフセット補正量切り替え信号に基づき、前記オフセット調整部は、前記オフセット補正信号を、前記局部発振器への前記周波数の切り替え信号に対して前記ミキサにおける周波数切り替わりの遅延量分の時間遅延させて、前記加算部に供給する、ことを特徴とする形態２記載の無線通信装置。
（形態４）
前記加算部の出力を増幅及びフィルタ処理しアナログ・デジタル変換したデジタル信号に変換した信号から、ノイズ量を測定し、測定したノイズ量を基に、タイミング決定信号を生成するノイズ量測定演算部と、
前記ノイズ量測定演算部からのタイミング決定信号に基づき、前記タイミング調整部にタイミング調整信号を出力する制御部と、
を備えた、ことを特徴とする形態３記載の無線通信装置。
（形態５）
前記制御部は、前記ノイズ量測定演算部から出力される前記タイミング決定信号を入力とし、
オフセット補正量通知信号を、前記オフセット調整部に出力し、
周波数選択信号を前記局部発振器に出力し、
前記タイミング調整信号と、前記オフセット補正量切り替え信号と、前記周波数切り替え信号とを、前記タイミング調整部に出力する、ことを特徴とする形態４記載の無線通信装置。
（形態６）
前記制御部は、タイミング調整の開始を知らせるタイミング調整開始信号を入力する、ことを特徴とする形態５記載の無線通信装置。
（形態７）
前記ノイズ量測定演算部は、前記制御部から出力された前記タイミング調整信号を入力して保持するメモリを備え、
ノイズ量の測定結果と、前記タイミング調整信号とに基づき、前記タイミング決定信号を生成する、ことを特徴とする形態５記載の無線通信装置。
（形態８）
前記タイミング調整部は、前記制御部から出力された前記タイミング調整信号と前記オフセット補正量切り替え信号と前記周波数切り替え信号を入力とし、
前記オフセット補正量切り替え信号と前記周波数切り替え信号のタイミングを、前記タイミング調整信号に基づき調整し、タイミングを調整した前記オフセット補正量切り替え信号をオフセット調整部に出力し、タイミングを調整した周波数切り替え信号を前記局部発振器に出力する、ことを特徴とする形態５記載の無線通信装置。
（形態９）
前記ノイズ量測定演算部が、前記ノイズ量測定演算部外部から供給されるタイミング調整メモリ入力信号を入力し、前記タイミング調整メモリ入力信号に基づき、前記タイミング決定信号を生成する、ことを特徴とする形態４記載の無線通信装置。
（形態１０）
前記ノイズ量測定演算部が、
前記加算部の出力を増幅及びフィルタ処理しアナログ・デジタル変換した前記デジタル信号から、ノイズ量を測定するノイズ量測定部と、
前記ノイズ量測定部での測定結果を保持する第１のメモリと、
前記制御部から出力された前記タイミング調整信号を保持する第２のメモリと、
前記第１、第２のメモリを参照して前記タイミング決定信号を出力するノイズ量演算部と、
を備えている、ことを特徴とする形態４記載の無線通信装置。
（形態１１）
前記ノイズ量測定演算部が、
前記加算部の出力を増幅及びフィルタ処理しアナログ・デジタル変換したデジタル信号から、ノイズ量を測定するノイズ量測定部と、
前記ノイズ量測定部での測定結果を保持する第１のメモリと、
前記ノイズ量測定演算部に入力されるタイミング調整メモリ入力信号と、前記制御部から出力された前記タイミング調整信号を選択する第１のセレクタと、
前記第１のセレクタの出力を保持する第２のメモリと、
前記第１、第２のメモリを参照して前記タイミング決定信号を出力する前記ノイズ量演算部と、
前記ノイズ量測定演算部の出力と前記第２のメモリの出力を選択し、タイミング決定信号として出力する第２のセレクタと、
を備えている、ことを特徴とする形態４記載の無線通信装置。
（形態１２）
前記ノイズ量測定演算部が、ノイズ量の測定結果の最小値を保持し、ノイズ量の測定結果が最小となるときのタイミング調整信号の設定値を保持する、ことを特徴とする形態４記載の無線通信装置。
（形態１３）
前記ノイズ量測定演算部が、前記加算部の出力を増幅及びフィルタ処理しアナログ・デジタル変換したデジタル信号から、ノイズ量を測定するノイズ量測定部と、
第１のメモリと、
前記ノイズ量測定部でのノイズ量の測定結果と前記第１のメモリの値の大小を比較する大小比較部と、
を備え、
前記ノイズ量測定部でのノイズ量の測定結果と前記第１のメモリの値よりも小さい場合に、前記第１のメモリは、前記ノイズ量測定部でのノイズ量の測定結果で更新され、
前記制御部からのタイミング調整信号と、第２のメモリの値の一方とを前記大小比較部での比較結果に基づき選択する第２のセレクタを備え、
前記第２のセレクタの出力は、前記制御部にタイミング決定信号として出力されるとともに、前記第２のメモリに保持される、ことを特徴とする形態４記載の無線通信装置。
（形態１４）
局部周波数発振器が周波数ホッピング動作を有し、セルフミキシングにより発生するＤＣオフセットを補正する回路を有す無線通信装置であって、
周波数ホッピングのタイミングと、対応する周波数のＤＣオフセット補正量を設定したときのノイズ量を測定する測定部と、
周波数ホッピングのタイミングとＤＣオフセット補正量を変化させるタイミングとを調整するタイミング調整部と、
タイミングを調整するための制御を行う制御部と、
を有する、ことを特徴とする無線通信装置。
（形態１５）
前記測定部が、
ノイズ量を測定するノイズ量測定部と、
前記ノイズ量測定部でのノイズ量の測定結果を保持する測定結果保持回路と、
前記制御部から出力されるタイミング調整用の設定値を保持する設定値保持回路と、
ノイズ量を演算し、タイミング調整結果を出力するノイズ量演算部と、
を有する、ことを特徴とする形態１４記載の無線通信装置。
（形態１６）
前記測定部が、
ノイズ量を測定するノイズ量測定部と、
前記ノイズ量測定部でのノイズ量の測定結果を保持する測定結果保持回路と、
前記制御部から出力されるタイミング調整用の設定値を保持する設定値保持回路と、
設定値保持回路のタイミング調整用の設定値と、前記測定部に入力されるタイミング調整用の設定値のいずれかを、設定値選択信号により、選択する第１のセレクタと、
ノイズ量を演算するノイズ量演算部と、
ノイズ量演算部の出力と設定値保持回路の出力のいずれかを、出力選択信号により選択出力する第２のセレクタと、
を有する、ことを特徴とする形態１４記載の無線通信装置。
（形態１７）
前記測定部が、
ノイズ量を測定するノイズ量測定部と、
前記ノイズ量測定部でのノイズ量測定結果を保持する測定結果保持回路と、
前記ノイズ量測定結果と前記保持回路に格納されている値とを比較し、ノイズ量の小さい値を検出する大小比較部と、
セレクタより出力されるタイミング調整結果信号を保持する設定値保持回路と、
前記制御部から出力されるタイミング調整用の設定値と、前記設定値保持回路に保持される前記タイミング調整結果信号とのいずれかを、前記大小比較結果により選択する、選択する前記セレクタと、
を有することを特徴とする形態１４記載の無線通信装置。
（形態１８）
タイミング調整開始信号を制御部に通知し、
タイミング調整開始が通知された後にタイミング調整信号を設定し、
タイミング調整信号の設定量をメモリに書き込み、
タイミング調整のための周波数ホッピングを行い、
周波数ホッピング時のアナログ・デジタル変換器の出力ノイズ量を測定し、ノイズ量測定結果信号をメモリに出力し、
タイミング調整信号の設定値を変化させる制御を行い、
タイミング調整信号の設定値が設定可能な範囲であるかを判定し、設定可能であればタイミング調整信号の設定量を出力する制御を繰り返し
メモリに保持したノイズ量測定結果信号の測定結果のうち最小値を求め、最小値となるときのタイミング調整信号の設定値をメモリから求め、制御部に出力し、
前記求めた設定値をタイミング調整信号に設定し、タイミング調整部へ出力する制御を行う、ことを特徴とする無線通信装置のオフセット補正方法。
（形態１９）
受信信号と局部発振器からの局発信号とを混合するミキサの出力に対して、局発信号周波数に対応した補正値のオフセット補正信号を供給する無線通信装置のオフセット補正方法であって、
前記局部発振器における前記局発信号周波数の切り替えのタイミングに対応させて、前記オフセット調整部における前記オフセット補正信号の切り替えのタイミングを調整する、ことを特徴とする無線通信装置のオフセット補正方法。
（形態２０）
前記ミキサの出力に前記オフセット補正信号を加算した信号を増幅及びフィルタ処理しアナログ・デジタル変換したデジタル信号からノイズ量を測定し、測定したノイズ量を基に、タイミング決定信号を生成し、
前記タイミング決定信号に基づき、前記周波数の切り替えと前記オフセット補正信号の切替のタイミングを調整する、ことを特徴とする形態１９記載の無線通信装置のオフセット補正方法。